(57)【特許請求の範囲】
【請求項１】
接続された撮像装置によって撮像された画像データを出力装置に送信する画像送信装置において、
前記撮像装置から前記撮像装置の識別子を受信する第１の受信手段と、
前記出力装置の種別情報を受信する第２の受信手段と、
前記撮像装置において実行される画像データの処理に用いられるパラメータ設定値を記憶する記憶手段と、
前記記憶手段によって記憶されたパラメータ設定値から、前記第１の受信手段によって受信された前記撮像装置の識別子および前記第２の受信手段によって受信された前記出力装置の種別情報に対応するパラメータ設定値を選択し、前記撮像装置に画像データの処理をさせるべく、前記撮像装置に前記選択されたパラメータ設定値を出力する処理を制御する制御手段と、
前記撮像装置において処理された画像データを取得し、前記取得した画像データを前記出力装置に送信する送信手段とを有することを特徴とする画像送信装置。
【請求項２】
前記撮像装置および前記出力装置に対応するパラメータ設定値が前記記憶手段に記憶されていない場合、前記撮像装置および前記出力装置に対応する前記パラメータ設定値をネットワークを介して取得する取得手段を有することを特徴とする請求項１に記載の画像送信装置。
【請求項３】
前記取得手段により前記パラメータ設定値を取得するか否かを前記出力装置に問い合わせる問い合わせ手段を有することを特徴とする請求項２に記載の画像送信装置。
【請求項４】
前記取得手段によりパラメータ設定値を取得できない場合に、取得できなかたことを前記出力装置に通知する通知手段を有することを特徴とする請求項２に記載の画像送信装置。
【請求項５】
前記記憶手段によって記憶されたパラメータ設定値には、前記第１の受信手段によって受信された前記撮像装置の識別子および前記第２の受信手段によって受信された前記出力装置の種別情報に対応するパラメータ設定値を選択できない場合に選択するパラメータ設定値も含まれることを特徴とする請求項１に記載の画像送信装置。
【請求項６】
前記記憶手段によって記憶された前記パラメータ設定値をユーザにより変更させる手段を有することを特徴とする請求項１に記載の画像送信装置。
【請求項７】
撮像手段から得られた画像データを出力装置に送信する撮像装置において、
前記撮像装置において実行される画像データの処理に用いられるパラメータ設定値を取得すべく、前記出力装置の種別情報を予め定められた第１のサーバに送信する送信手段と、
前記出力装置の種別情報に対応するパラメータ設定値を前記第１のサーバから取得する第１の取得手段と、
前記出力装置から第２のサーバの位置情報を受信する受信手段と、
前記出力装置の種別情報に対応するパラメータ設定値を前記第１のサーバから取得できない場合、前記受信手段により受信した位置情報を用いて、前記出力装置の種別情報に対応するパラメータ設定値を前記第２のサーバから取得する第２の取得手段と、
前記第１の取得手段または前記第２の取得手段から取得した前記パラメータ設定値を用いて前記撮像手段から得られた画像データを処理する画像処理手段と、
前記画像処理手段によって処理された画像データを前記出力装置に送信する送信手段とを有することを特徴とする撮像装置。
【請求項８】
前記第１のサーバから前記パラメータ設定値を取得できない場合に、前記出力装置に対応する前記パラメータ設定値を取得するか否かを前記出力装置に問い合わせる問い合わせ手段を有することを特徴とする請求項７に記載の撮像装置。
【請求項９】
前記第２のサーバから前記パラメータ設定値を取得できない場合に、取得できなかたことを前記出力装置に通知する通知手段を有することを特徴とする請求項７に記載の撮像装置。
【請求項１０】
前記第２のサーバから取得した前記パラメータ設定値を前記第１のサーバに送信する手段を有することを特徴とする請求項７に記載の撮像装置。
【発明の詳細な説明】
【技術分野】
【０００１】
本発明は、撮像画像を処理し、出力装置に送信する装置に関するものである。
【背景技術】
【０００２】
デジタルカメラの普及に伴い、デジタルカメラはこれまでにない多様な利用方法が検討されている。たとえば、デジタルカメラ用の雲台にパンチルト機能をつけ、外部からパンチルト制御するとともに、撮像画像を配信するシステムがある（たとえば特許文献１参照）。
【０００３】
ところで、デジタルカメラ単体においても、高機能化、高画質化、高画素化が進んでいる。そして、さらに高画質な画像を求め、撮像素子から出力された画像データを画像処理せずにそのまま保存するＲＡＷ形式の画像データを扱う機能を有するデジタルカメラが増加している。ＲＡＷ形式の画像データを扱うことにより、撮像後にパーソナルコンピュータ（ＰＣ）などの計算処理能力の高い装置を用いて高品位の画像処理が実現できる。
【０００４】
引用文献１に示すシステムに、ＲＡＷ形式の画像データを適用することを想定すると、ＲＡＷ形式の画像データのままでは外部の出力装置に表示できず、システムの機能を果たすことができない。そのため、外部の出力装置に転送する前に、デジタルカメラ側において、ＲＡＷ形式の画像データを一旦ＰＣに転送し、人手を介して現像処理（ＲＡＷ形式の画像データを可視画像データに変換する処理）を行う必要がある。ＰＣにおける処理は、ユーザに対して高度な知識と経験を要求するだけでなく、データ量の大きいＲＡＷ形式の画像データをＰＣに転送することによる時間もがかかってしまう。
【特許文献１】特開２００２−１９９２５１号公報
【発明の開示】
【発明が解決しようとする課題】
【０００５】
本発明では、ＲＡＷ形式の画像データを出力先に応じた画像処理を撮像装置において行い、出力先であるネットワーク上の表示装置、印刷装置に適した画像データを各出力装置に提供することを目的とする。
【課題を解決するための手段】
【０００６】
上述した目的を達成するために、本願発明によれば、接続された撮像装置によって撮像された画像データを出力装置に送信する画像送信装置において、前記撮像装置から前記撮像装置の識別子を受信する第１の受信手段と、前記出力装置の種別情報を受信する第２の受信手段と、前記撮像装置において実行される画像データの処理に用いられるパラメータ設定値を記憶する記憶手段と、前記記憶手段によって記憶されたパラメータ設定値から、前記第１の受信手段によって受信された前記撮像装置の識別子および前記第２の受信手段によって受信された前記出力装置の種別情報に対応するパラメータ設定値を選択し、前記撮像装置に画像データの処理をさせるべく、前記撮像装置に前記選択されたパラメータ設定値を出力する処理を制御する制御手段と、前記撮像装置において処理された画像データを取得し、前記取得した画像データを前記出力装置に送信する送信手段とを有することを特徴とする画像送信装置を提供する。
【発明の効果】
【０００７】
本発明によれば、高画質で後処理可能なデータ形式で撮像された画像を、ユーザの高度な知識や経験を必要とせず、ネットワーク上で簡単に取り扱うことが可能となる。
【発明を実施するための最良の形態】
【０００８】
以下、添付の図面に沿って本発明の実施の形態を説明する。
【０００９】
（第１の実施形態）
本実施形態のシステムの構成を図１に示す。
【００１０】
図１に示す本実施形態のシステムは、撮像装置として機能するデジタルカメラ１００、画像送信装置として機能するアダプタ１０１、ネットワーク対応の出力装置１０２、サーバ１０３からなる。なお、図１においては、便宜上アダプタ１０１、出力装置１０２が１台ずつ示されているが、これらはネットワーク１０４上に複数存在するものとする。また、出力装置１０２は、画像データを表示する表示装置、画像データを印刷出力する印刷装置などである。
【００１１】
デジタルカメラ１００は、静止画および動画の撮像動作を行うにあたり、外部からの操作コマンドにより、そのズーム、焦点、および露出などが制御される。
【００１２】
アダプタ１０１は、デジタルカメラ１００の装着および取り外しが容易な構造を有しており、装着したデジタルカメラのパン角度およびチルト角度を制御するモータを含む駆動機構を有する。アダプタ１０１は、さらにデジタルカメラ１００の装着にともなって、電気的にデジタルカメラ１００と接続できるコネクタを有する。これによってデジタルカメラ１００からアダプタ１０１へ撮像画像の転送が可能となる。
【００１３】
アダプタ１０１は、出力装置１０２からの操作コマンドに応じて、出力装置１０２に画像を転送したり、デジタルカメラ１００に操作コマンドを転送したり、パン角度およびチルト角度を制御したりする。
【００１４】
出力装置１０２は、ネットワーク１０４に対応するものであり、アダプタ１０１に対して操作コマンドを出力する操作端末としての機能を有する。
【００１５】
図２は本実施の形態におけるデジタルカメラ１００とアダプタ１０１のブロック図である。
【００１６】
デジタルカメラ１００は、撮像装置としての一般的なデジタルカメラの機能を有する。具体的には、撮像部２０１、画像処理部２０２、画像圧縮部２０３、画像記憶部２０４、設定記憶部２０５、ファインダ表示部２０６、操作スイッチ部２０７、外部インターフェース２０８、制御部２０９、ストロボ２１０を有する。
【００１７】
撮像部２０１は、レンズ、撮像素子、撮像回路を有する。
【００１８】
画像処理部２０２は、撮像部２０１から出力された撮像信号をデジタル画像データに変換し、変換された画像データに対してホワイトバランスなどの色処理を行う回路を有する。
【００１９】
画像圧縮部２０３は、画像データが静止画像データであれば、画像データをＪＰＥＧ形式で圧縮する回路を有する。また、画像圧縮部２０３は、画像データが動画像データであればＭｏｔｉｏｎＪＰＥＧあるいはＭＰＥＧ４形式などで圧縮する。
【００２０】
画像記憶部２０４は、画像圧縮部２０３において圧縮された画像データを、ファイルとして保存するための不揮発性のメモリである。なお、画像データがＲＡＷ形式の画像データの場合、画像処理部２０２においてＡ／Ｄ変換によってデジタル化された画像データが色処理、圧縮処理などが行われずに画像記憶部２０４に記憶されることになる。
【００２１】
ファインダ表示部２０６は、撮像部２０１によって撮像された画像および操作ＧＵＩを表示する。操作スイッチ部２０７は、レリーズスイッチなどを含み、画質の変更などの各種設定操作をするための操作部材である。
【００２２】
外部インターフェース２０８は、外部の装置との画像データ、操作コマンドあるいは電源のやり取りをする部分であり、ＵＳＢ（Ｕｎｉｖｅｒｓａｌ  Ｓｅｒｉａｌ  Ｂｕｓ）２３０に対応する。
【００２３】
制御部２０９は、操作スイッチ２０７あるいは外部から入力された操作コマンドに従って、ズーム、焦点、および露出の制御から画像処理、画像圧縮処理などデジタルカメラ全体を制御する。制御部２０９は、制御プログラムを格納するためのＲＯＭ，読み出された制御プログラムを展開するためのＲＡＭ，および制御プログラムに基づいて各種制御を実行するためのＣＰＵを有している。
【００２４】
ストロボ２１０は、操作スイッチ部２０７などによる設定に従って、静止画の撮影時に発光が行われる。
【００２５】
設定記憶部２０５は、操作スイッチ部２０７あるいはアダプタ１０１からの操作コマンドによって設定された各パラメータの設定値を記憶する不揮発性のメモリである。なお設定記憶部２０５には、デジタルカメラの種類を識別するための識別子（ＩＤ）が含まれているものとする。制御部２０９はアダプタ１０１へのデジタルカメラ１００の装着にともなって、デジタルカメラの種類を識別するためのＩＤがアダプタ１０１へ転送される。
【００２６】
アダプタ１０１は、パンチルト駆動部２２２、雲台制御部２２１、メイン制御部である制御部２２３、外部インターフェース２２４、ネットワークインターフェース２２５、画像記憶部２２６、センサー入力部２２７、データ記憶部２２８を有する。
【００２７】
パンチルト駆動部２２２は、デジタルカメラ１００のパンチルト駆動機構である。雲台制御部２２１は、外部の操作コマンドに従ってパンチルト駆動部２２２の駆動制御を行う回路を有する。
【００２８】
制御部２２３は、アダプタ１０１全体の制御を行う。制御部２２３は、制御プログラムを格納するためのＲＯＭ，読み出された制御プログラムを展開するためのＲＡＭ，および制御プログラムに基づいて各種制御を実行するためのＣＰＵを有している。
【００２９】
外部インターフェース２２４は、デジタルカメラ１００から画像データを取得する。さらに、デジタルカメラ１００への電源供給、およびＵＳＢによりデジタルカメラ１００を制御するため操作コマンドを出力する。
【００３０】
なお、アダプタ１０１は、デジタルカメラ１００を装着するための機構だけでなく、この装着に応じてＵＳＢ２３０を介して電気的にデジタルカメラ１００と接続される。また、アダプタ１０１は、デジタルカメラ１００がアダプタ１０１に装着されているか否かは、ＵＳＢの電気的特性から判断できる。なお、外部との制御信号のやり取りの方法は、必ずしもＵＳＢに限定するものではなく、ＩＥＥＥ１３９４などでもよい。
【００３１】
ネットワークインターフェース２２５は、出力装置１０２と接続して制御コマンドなどをやり取りするネットワークインターフェースである。ネットワークインターフェース２２５は、ネットワーク１０４を介して出力装置１０２からの出力された制御コマンドを受信する。
【００３２】
画像記憶部２２６はデジタルカメラ１００で撮像した画像データを記憶するためのハードディスクなどからなる大容量の記憶デバイスである。センサー入力部２２７は、人感センサなどの外部センサからの信号を検出する回路を有する。
【００３３】
なお、本実施の形態では、ネットワーク１０４のプロトコルとしてＴＣＰ／ＩＰ（ＵＤＰ／ＩＰ）プロトコル用いる形態を説明する。そして、アダプタ１０１、出力装置１０２は、共にＩＰアドレスを割り当てられているものとする。また、出力装置１０１はネットワークへの物理的な接続形態としては、有線だけでなく無線の場合もありうるが、プロトコル的に接続されていれば、物理的な形態にこだわるものではない。
【００３４】
図１１は、出力装置１０２のブロック図である。図１１において、出力部２５１は、アダプタ１０１から取得した画像データを表示処理あるいは印刷処理を行う。出力装置１０２が表示装置の場合、出力部２５１は表示部材を含むことになる。また、出力装置１０２が印刷装置の場合、出力部２５１は印刷機構を含むことになる。
【００３５】
また、制御部２５２は、出力装置１０２全体を統括制御する。制御部２５２は、制御プログラムを格納するためのＲＯＭ，読み出された制御プログラムを展開するためのＲＡＭ，および制御プログラムに基づいて各種制御を実行するためのＣＰＵを有している。
【００３６】
また、ネットワークインターフェース２５３は、ネットワーク１０４を介して、コマンドをアダプタ１０１に出力し、画像データを取得するためのインターフェースである。また、操作部２５４は、ユーザの各種入力操作実行させる操作部材および入力操作を検出する検出回路を有する。
【００３７】
また、記憶部２５５は、アダプタ１０１から転送された画像データを記憶したり、図１７のテーブルを格納したりするためのメモリである。
【００３８】
次に、デジタルカメラ１００の画像フォーマットに関して詳細に説明する。
【００３９】
デジタルカメラ１００によって撮像された静止画像データは、色処理および圧縮処理などが行われていないＲＡＷ形式、あるいは各種色処理および圧縮処理が行われたＪＰＥＧ形式のファイルデータとして画像記憶部２０４に保存される。
【００４０】
ＲＡＷ形式の画像データは、撮像部２０１から得られた電気信号を単純にデジタル化した信号をファイルとして直接画像記憶部２０４に保存される。ＲＡＷ形式の画像データは、データ長はデジタルカメラ１００により異なるが、現在では１２ｂｉｔデータとしているものが多い。また、ＲＡＷ形式の画像データは、撮像部２０１から得られた信号をデジタル化しただけのデータであるため、標準フォーマットは存在せず、デジタルカメラのメーカ間で異なっている。
【００４１】
ＲＡＷ形式の画像データの長所としては、高品位のまま色処理、コントラスト、シャープネスなどを自由に変更可能であることが上げられる。
【００４２】
ＲＡＷ形式の画像データの短所としては、当然のことながら圧縮されたＪＰＥＧ形式の画像データよりデータ量が大きく、そのために画像データの保存やバックアップ処理、データ転送処理に時間がかかることが上げられる。
【００４３】
また、ＲＡＷ形式の画像データは、ホワイトバランスや色処理などの画像処理をしていないため、ＲＡＷ形式の画像データそのままでは、出力装置１０２においてその画像の表示ができない。ＲＡＷ形式の画像データを出力装置１０２において表示できる形式の可視画像データに変更する現像処理では、専用のソフトウェアが必要であり、ユーザが高度な知識とノウハウを有することを必要とする。そこで、本実施の形態では、画像記憶部２０４に記憶されたＲＡＷ形式の画像データの現像処理を実行可能なデジタルカメラ１００において行うものとする。
【００４４】
また、ＲＡＷ形式の画像データは、カメラメーカによりそのフォーマットが異なるように、現像処理もカメラメーカにより異なったものとなる。
【００４５】
一方、ＪＰＥＧ形式の画像データは、撮像素子から得られた撮像信号をデジタル化し、ホワイトバランスなどの色処理および、データの圧縮処理をしてファイルとして保存される。長所としては、データ長は、８ｂｉｔデータであり、データ量が小さく、取り扱いが簡単である点である。短所としては、圧縮によってすでに情報量が小さくなっていることから、フォトレタッチソフトなどを使ってＪＰＥＧ形式の画像データの色処理などを行うと、画像がさらに劣化してしまう。
【００４６】
次に、本実施の形態におけるＲＡＷ形式の画像データに対するシステムの処理について説明する。
【００４７】
本実施の形態では、ＲＡＷ形式の画像データに対する現像処理をデジタルカメラ１０１内部の画像処理部２０２および画像圧縮部２０３において行う。
【００４８】
先に、デジタルカメラ１０１内部の画像処理部２０２によって現像処理される現像パラメータ（後述）の設定とその現像処理について説明する。なお、本実施の形態における現像処理とは、ＲＡＷ形式の画像データを画像処理部２０２および画像圧縮部２０３において可視画像データに変換する処理を指すものとする。
【００４９】
現像パラメータは、アダプタ１０１と接続する出力装置１０２により、複数の種類のパラメータセットが存在する。これらの現像パラメータのセットは、アダプタ１０１のデータ記憶部２２８に保存される。
【００５０】
ところで、各出力装置１０２において、現像パラメータを保持する方法も考えられる。しかしながら、ＲＡＷ形式の画像データのフォーマットと同様に、現像パラメータに関しても、その種類、および値はカメラメーカごとに異なっている。そのため、各出力装置１０２側で、ＲＡＷ形式の画像データのフォーマットの種類に対応するカメラメーカごとの現像パラメータセットを管理する必要があり、その現実的ではない。
【００５１】
アダプタ１０１は、画像データの転送先として、出力装置１０２が決定されると、転送先の出力装置１０２の現像パラメータの設定値をデータ記憶部２２８から読み出し、デジタルカメラ１００に転送する。現像パラメータの設定値の転送には、外部インターフェース２２４を介して行われる。接続された出力装置１０２用の現像パラメータの設定値が存在しない場合は、予め定められた標準の現像パラメータの設定値が転送される。
【００５２】
外部インターフェース２０８介してデジタルカメラ１００に転送された現像パラメータの設定値は、画像処理部２０２および画像圧縮部２０３に設定される。
【００５３】
デジタルカメラ１００内の現像処理は、先に設定された現像パラメータの設定値により、画像処理部２０２および画像圧縮部２０３にて実行される。
【００５４】
現像処理によって得られた可視画像データは、外部インターフェース２０８を介して、アダプタ１０１に転送される。アダプタ１０１は、この可視画像データを転送先の出力装置１０２に出力する。
【００５５】
本実施の形態における現像パラメータは、具体的には、たとえば、図１２に示されるようなものである。図１２は、あるデジタルカメラ１００の機種に対応する現像パラメータの定義の一例である。パラメータの設定値は、パラメータの範囲内において設定される。パラメータ範囲はデジタルカメラ１００の種類に応じてその定義が異なる。例えば、その他の種類のデジタルカメラでは図１４に示すような現像パラメータが定義される。
【００５６】
現像パラメータの分類として、主にファイル関連のパラメータおよび画質調整に関わるパラメータの２つがある。
【００５７】
ファイル関連のパラメータは、「画素数」、「圧縮率」、「ファイル形式」のパラメータを有する。「画素数」のパラメータは、Ｌ、Ｍ１、Ｍ２、Ｓなどの設定値、または、ｐｉｘｅｌ／ｉｎｃｈなどの設定値がある。「圧縮率」のパラメータは、ＪＰＥＧなどの圧縮処理を行うときの圧縮率であり、スーパーファイン、ファイン、ノーマルなどの設定値、あるいは数値で表される設定値などによって示される。「ファイル形式」のパラメータは、ＪＰＥＧ、ＴＩＦＦなどの設定値がある。出力装置としての表示装置の表示画面上に表示したり、出力装置としての印刷装置から印刷画像を出力したりする場合には、ＪＰＥＧ形式の画像データに変換することが多い。
【００５８】
画質調整に関わるパラメータには、具体的には、例えば、「色効果」、「ホワイトバランス」、「デジタル露出補正」、「色空間指定」などのパラメータなどがある。
【００５９】
「色効果」のパラメータは、効果オフ、くっきりカラー、すっきりカラー、ソフト、セピア、白黒、色白肌、褐色肌、クール、ウォーム、ポジフィルム、カスタムなどの設定値がある。カスタム設定では、コントラスト、シャープネス、色の濃さを調節するための設定値である。これらは、明るさの度合い、輪郭のくっきり度、色の濃淡を、ユーザが独自に決定した設定値である。
【００６０】
「ホワイトバランス」のパラメータは、その設定値として、オート、太陽光、くもり、電球、蛍光灯、蛍光灯Ｈ、ストロボ、水中、カスタム、白色点指定などがある。カスタム設定では、マゼンダ系からグリーン系の色味をユーザが独自に決定した値が設定される。
【００６１】
「デジタル露出補正」のパラメータは、数値で設定される。
【００６２】
「色空間指定」のパラメータは、その設定値としてａｄｏｂｅＲＧＢやｓＲＧＢなどがある。表示装置や印刷装置など、出力装置には、装置ごとに表現できる色空間が決まっている。「色空間指定」のパラメータは、それらの色空間を指定するためのパラメータである。
【００６３】
アダプタ１０１において、上述した現像パラメータが出力装置の種類ごとに設定される。図１３は、出力装置１０２の種類にそれぞれ対応する現像パラメータの設定値のセットＡを示しており、データ記憶部２２８に記憶されている。図１３の現像パラメータの設定値のセットＡは、図１２のパラメータの定義に対応するものである。すなわち、図１３の現像パラメータの設定値のセットＡは、装着されたデジタルカメラ１００の種類に対応している。同様に、図１４に示すパラメータ定義に対応して図１５のパラメータ設定値のセットＢが記憶される。
【００６４】
図１６は、データ記憶部２２８に記憶されるテーブルの一例を示している。図１６に示すテーブルは、装着されたデジタルカメラ１００から受信する識別子（ＩＤ）とその識別子に対応するパラメータ設定値を示している。アダプタ１０１は、このテーブルを参照することにより、装着されたデジタルカメラ１００において現像処理が可能なパラメータの設定値のセットを決定することができる。
【００６５】
液晶表示装置に対して、一例として、輝度が高く、コントラストが浅い特性を考慮した以下の設定値が決定されている。ファイル関連のパラメータにおいて、画素数に関するパラメータの設定値は、液晶表示装置の画素数に合わせたＭ１サイズ、圧縮率に関するパラメータの設定値はファイン、ファイル形式はＪＰＥＧとする。また、画質調整関係のパラメータは、色効果として、カスタム設定で、コントラストは弱めに、シャープネスは強め、色の濃さは、液晶表示装置は色表現が薄いため、色を濃くした現像処理を行う設定値とする。また、ホワイトバランスのパラメータの設定値は−３０とする。デジタル露出補正のパラメータの設定値は−１．５、色空間のパラメータの設定値は、出力装置で表示が可能である範囲のｓＲＧＢ空間とする。
【００６６】
ブラウン管表示装置に対して、ファイル関連のパラメータにおいて、表示可能な画素数が少ないため、画素数のパラメータの設定値をＳに、圧縮率のパラメータの設定値をノーマルとする。そして、他の設定パラメータの設定値を、標準値とする。
【００６７】
プラズマ表示装置に対して、ファイル関連のパラメータにおいて、画素数のパラメータの設定値をＭ１に、圧縮率のパラメータの設定値をファインとしている。プラズマ表示装置は、コントラスト、シャープネスの表現が優れているため、画質調整パラメータにおいて、これらコントラスト、シャープネスを強めの設定値としている。
【００６８】
印刷装置に対して、その画像表現力が高いため、画素数の設定値はＬとし、圧縮率のパラメータの設定値はスーパーファインとする。そして、色空間のパラメータの設定値は、空間の大きいａｄｏｂｅＲＧＢとする。
【００６９】
また、インターネットを経由した外部の画像サーバ３０３に転送する画像データに対しては、画像データを送信するときの現像パラメータとして、データ量を小さくするような設定値に各パラメータを設定している。
【００７０】
以上のような設定は、装着されたデジタルカメラ１００の現像パラメータの範囲内で、出力装置の各メーカがその特性を考慮した設定を用意してもよい。また、装着されたデジタルカメラ１００のパラメータの範囲内で、ユーザが、自分の好みにより、設定値を変更してもよい。
【００７１】
また、図１３では、出力装置ごとに設定をしているが、ユーザの好みの設定を２，３用意し、その中から画像データを転送する出力装置ごとに選択的に設定してもよい。
【００７２】
このように、デジタルカメラ１００の種類および出力装置ごとに、現像パラメータの設定値を設定する。これにより、出力装置１０２の特性を考慮し、さらにユーザの好みを加えた現像処理を行うことができる。また、このような現像パラメータの設定値をアダプタ１０１に保存しておくことにより、出力デバイスに対応する現像パラメータをデジタルカメラに設定することが可能である。これにより、ユーザは、装着されるデジタルカメラ１００の種類および画像データの転送先である出力装置が変更するたびに現像パラメータの設定値の設定を行う必要がなくなるので、使い勝手が非常に高くなる。
【００７３】
また、出力装置によっては、ＩＣＣ（Ｉｎｔｅｒｎａｔｉｏｎａｌ  Ｃｏｌｏｒ  Ｃｏｎｓｏｒｔｉｕｍ）プロファイルを使った、カラーマネージメントに対応するものがある。これらの出力装置に対しては、アダプタ１０１内部で、カラーマネージメント処理をする方法や、出力装置によっては、出力装置側でカラーマネージメント処理をする出力装置もある。本実施の形態で行う現像処理は、こうしたカラーマネージメント処理をする前の段階における処理である。そのため、カラーマネージメント処理に必要な情報量（色空間の大きさなど）を残した、現像処理を行っている。
【００７４】
図３のシステムにおいて、デジタルカメラ１００の画像記憶部２０４に記憶されたＲＡＷ形式の画像データを、出力装置１０２に表示する場合について、以下説明する。図３示すとおり、出力装置１０２として、液晶表示装置の場合を説明する。
【００７５】
液晶表示装置１０２は、ユーザにより、液晶表示装置１０２の画面上に表示されるユーザインターフェースを介して指示されたアダプタ１０１にアクセスする。そして、液晶表示装置１０２とアダプタ１０１との接続が確立すると、それぞれの能力情報の交換を行い、通信相手の詳細情報を取得する。
【００７６】
アダプタ１０１において、制御部２２３は、液晶表示装置用の現像パラメータの設定値３００を設定記憶部２０５から読み出し、デジタルカメラ１００にその現像パラメータの設定値を設定する。そして、デジタルカメラ１００から画像データの取得を要求するコマンドが液晶表示装置１０２からアダプタ１０１に送られる。すると、アダプタ１０１は、その要求コマンドを解析し、デジタルカメラ１００の画像記憶部２０４に記憶されたＲＡＷ形式の画像データを要求するコマンドであるか否か判断する。
【００７７】
ＲＡＷ形式の画像データの要求である場合、アダプタ１０１は、デジタルカメラ１００に要求コマンドを送信する。デジタルカメラ１００では、アダプタ１０１から取得した現像パラメータに基づいて、制御部２０９の制御によって、画像記憶部２０４から要求対象のＲＡＷ形式の画像データの現像処理が画像処理部２０２および画像圧縮部２０３において行われる。現像処理された可視画像データは、アダプタ１０１を介して液晶表示装置１０２に転送される。液晶表示装置１０２では、この可視画像データに基づいて表示画面上に画像を表示する。
【００７８】
対応する出力装置の現像パラメータの設定値がアダプタ１０１に存在しない場合は、インターネットを介して、出力装置のメーカのサイト（サーバ）３０２からダウンロードすることにより現像パラメータの設定値を取得する。
【００７９】
次に、上述したデジタルカメラ１００の画像記憶部２０４に記憶されたＲＡＷ形式の画像データが液晶表示装置に転送されるまでの処理を図４および図５のフローチャートを用いて説明する。
【００８０】
図４は、この場合の液晶表示装置１０２の動作処理フローチャートである。
【００８１】
液晶表示装置１０２の制御部２５２は、ユーザ操作によって入力されたアダプタ１０１の接続要求を検出する。（Ｓ４０１）。
【００８２】
この検出に応じて、制御部２５２は、アダプタ１０１に対してとの接続要求を行う（Ｓ４０２）。
【００８３】
アダプタ１０１との接続が確立されると、制御部２５２は、自身の能力情報（装置の種別に関する情報を含む）の送信を行う。また、制御部２５２は、アダプタ１０１の能力情報およびアダプタ１０１に装着されているデジタルカメラの識別子（ＩＤ）情報を取得する（Ｓ４０３）。なお、能力情報とは、装置名、装置の機能を有する情報である。
【００８４】
次に、制御部２５２は、アダプタ１０１から、ネットワークインターフェース２５３を介して、液晶表示装置１０２に対応する現像パラメータの設定値を外部から取得するか否かの問い合わせ信号を受信する（Ｓ４０４）。
【００８５】
制御部２５２は、ユーザに現像パラメータの設定値を取得するか否かを決定させるためのＧＵＩを出力部２５１の表示画面上に表示させる（Ｓ４０５）。
【００８６】
ユーザの操作に応じて入力されたコマンドが現像パラメータの設定値を取得しないものである場合、制御部２５２は、新たなコマンド待ち状態となる（Ｓ４０７）。
【００８７】
一方、Ｓ４０５において、ユーザの操作に応じて入力されたコマンドが現像パラメータを取得するものである場合、ステップＳ４０６に進む。制御部２５２は、液晶表示装置１０２のメーカーサイトのサーバ３０２に記憶されている現像パラメータの設定値の記憶先のＵＲＬを、アダプタ１０１に送信する（Ｓ４０６）。このＵＲＬは、ステップＳ４０３において予め取得した情報から抽出したアダプタ１０１に装着されているデジタルカメラ識別子（ＩＤ）情報に対応する現像パラメータの設定値の記憶先サーバを示すものである。このＵＲＬは、図１７に示すテーブルを参照することにより抽出される。
【００８８】
その処理の後、液晶表示装置１０２は、新たなコマンド待ち状態となる（Ｓ４０７）。
【００８９】
図５は、アダプタ１０１側の動作処理フローチャートである。図５は、制御部２２３がその内部のＲＯＭから制御プログラムをＲＡＭへ読み出し、その読み出された制御プログラムに基づいて実行することにより達成される。なお、アダプタ１０１は、ＵＳＢ２３０を介して図５に示す動作処理の前にデジタルカメラ１００の設定記憶部２０５に記憶された識別子（ＩＤ）情報を取得し、データ記憶部２２８に格納しているものとする。なお、アダプタ１０１は、画像記憶部２０４に記憶された画像データの属性情報を参照することによってデジタルカメラ１００の識別子（ＩＤ）情報を取得することが可能である。
【００９０】
まず、アダプタ１０１の制御部２２３は、ネットワークインターフェース２２５を介して液晶表示装置１０２からの接続要求を受信する（Ｓ５０１）。
【００９１】
接続要求を受信したアダプタ１０１の制御部２２３は、液晶表示装置１０２との接続を確立する（Ｓ５０２）。
【００９２】
制御部２２３は、自身の能力情報および予め取得したデジタルカメラ１００のＩＤ情報の送信を行うと共に、液晶表示装置１０２の能力情報（装置の種別に関する情報を含む）の取得を行うことにより、能力情報の交換を行う（Ｓ５０３）。
【００９３】
制御部２２３は、受信した液晶表示装置１０２の能力情報により得られた液晶表示装置１０２の名称などの装置の種別情報に基づいて、これに対応する現像パラメータをアダプタ１０１のデータ記憶部２２８から検索する（Ｓ５０４）。具体的には、制御部２２３は、図１６のテーブルを参照して、装着されたデジタルカメラ１００の識別子に対応する現像パラメータの設定値のセットを選択する。そして、制御部２２３は、選択されたセットの中から、液晶表示装置１０２に対応する現像パラメータの設定値を決定する。
【００９４】
制御部２２３は、ステップＳ５０４において液晶表示装置１０２に対応する現像パラメータの設定値がアダプタ１０１のデータ記憶部２２８に保存されていた場合、この現像パラメータの設定値をデジタルカメラ１０１に設定する指示を行う（Ｓ５０５）。
【００９５】
デジタルカメラ１００に、液晶表示装置１０２に対応する現像パラメータの設定値を設定した後、アダプタ１０１は、次のイベント待ちの状態となる（Ｓ５１５）。
【００９６】
Ｓ５０４において、制御部２２３は、アダプタ１０１のデータ記憶部２２８に液晶表示装置１０２に対応する現像パラメータの設定値がない場合、標準の液晶表示装置の現像パラメータの設定値を、デジタルカメラ１００に出力する（Ｓ５０６）。
【００９７】
なお、この液晶表示装置１０２の標準の現像パラメータの設定値は、標準となる液晶表示装置装置の特徴を考慮した現像パラメータの設定値である。そのため、液晶表示装置の特徴は考慮されているが、個々のメーカや、製品の特徴や、ユーザの好みが反映された現像パラメータの設定値ではない。また、アダプタ１０１は、液晶表示装置１０２に限らず、主要な出力装置の標準現像パラメータの設定値をデータ記憶部２２８に保持しているものとする。
【００９８】
次にアダプタ１０１の制御部２２３は、ユーザが用いている液晶表示装置１０２用の現像パラメータが設定値の取得ができず、標準の液晶表示装置用の現像パラメータの設定値を用いて処理することを液晶表示装置１０２に通知する。同時に、制御部２２３は、接続中の液晶表示装置１０２用の現像パラメータの設定値を取得するか否かを、液晶表示装置１０２に問い合わせる（Ｓ５０７）。
【００９９】
Ｓ５０７において、アダプタ１０１は、液晶表示装置１０２側において操作部２５４により入力されたコマンドが現像パラメータの設定値の取得を行わないコマンドであると判別した場合、次のイベント待ち状態になる（Ｓ５１５）。
【０１００】
一方、Ｓ５０７において、アダプタ１０１の制御部２２３は、液晶表示装置１０２側において操作部２５４により入力されたコマンドが現像パラメータの設定値の取得をする要求であると判別する。その場合、液晶表示装置１０２に対して現像パラメータ設定値の取得先のＵＲＬを要求する（Ｓ５０８）。
【０１０１】
制御部２２３は、液晶表示装置１０２から現像パラメータの設定値の取得先のサイトのＵＲＬを受信する。制御部２２３は、このＵＲＬに対応するサイト（サーバ）３０２からインターネット３０１を介して、接続中の液晶表示装置１０２および装着したデジタルカメラ１００の種類に対応する現像パラメータの設定値の取得を開始する（Ｓ５０９）。
【０１０２】
制御部２２３は、一定の時間が経過すると、現像パラメータの設定値の取得が完了したか否か判断する（Ｓ５１１）。制御部２２３は、タイムアウトにより、現像パラメータの設定値のダウンロードできなかった場合、現像パラメータの設定値が取得できなかったことを、液晶表示装置１０２に通知する（Ｓ５１０）。アダプタ１０１は、その後、次のイベント待ち状態となる（Ｓ５１５）。
【０１０３】
Ｓ５１１において、現像パラメータの設定値が取得できた場合、制御部２２３は、取得した現像パラメータの設定値をデジタルカメラ１００に出力する（Ｓ５１２）。同時に、制御部２２３は、データ記憶部２２８に現像パラメータの設定値を保存する（Ｓ５１３）。さらに、現像パラメータの設定値を取得したことを液晶表示装置１０２に通知する（Ｓ５１４）。その後、アダプタ１０１は、次の新たなイベント待ち状態となる（Ｓ５１５）。
【０１０４】
なお、アダプタ１０１が現像パラメータの設定値の取得を試みている間、標準液晶表示装置１０２に対応する現像パラメータの設定値を仮に設定しておいてもよい。
【０１０５】
また、アダプタ１０１によって取得した現像パラメータの設定値をデジタルカメラ１００に設定した際、アダプタ１０１は、液晶表示装置１０２にその旨を通知する。図６は、液晶表示装置１０２においてこの通知を受信したときの動作処理フローチャートである。
【０１０６】
図６において、液晶表示装置１０２のネットワークインターフェース２０４がアダプタ１０１からの通知を受信すると（Ｓ６０１）、その出力部２５１の表示画面上において、「液晶表示装置用の現像パラメータの設定値が設定できました」などの情報表示を行う（Ｓ６０２）。その後、液晶表示装置１０２は、コマンド待ち状態となる（Ｓ６０３）。
【０１０７】
図７は、現像パラメータの設定値に基づいてＲＡＷ形式の画像データから変換された可視画像データを液晶表示装置１０２に表示する際の液晶表示装置１０２の動作処理フローチャートである。
【０１０８】
制御部２５１は、操作部２５４によって入力されたコマンドがデジタルカメラ１００の画像記憶部２０４に記憶されたＲＡＷ形式の画像データの取得要求であると判別した場合（Ｓ７０１）、制御部２５１は、アダプタ１０１に画像取得要求コマンドを送信する（Ｓ７０２）。
【０１０９】
ネットワークインターフェース２０４は、そのコマンドに応じて、ＲＡＷ形式の画像データから変換された可視画像データをアダプタ１０１から受信する（Ｓ７０３）。そして、出力部２５１の表示画面上で受信した画像データに基づく画像表示を行う（Ｓ７０４）。その後液晶表示装置１０２は、コマンド待ち状態となる（Ｓ７０５）。
【０１１０】
ユーザは、要求した画像データがＲＡＷ形式の画像データであっても、特別な処理を行うことなくその画像を液晶表示装置１０２の表示画面上で確認することが可能となる。
【０１１１】
次に、デジタルカメラ１００の画像記憶部２０４に保存されているＲＡＷ形式の画像データを外部の画像サーバ３０３へアップロードする際のアダプタ１０１の動作処理を図８のフローチャートを用いて説明する。外部の画像サーバ３０３へアップロードすることにより、複数の不図示の端末から閲覧可能となる。
【０１１２】
まず、ユーザによる操作によって入力されたコマンドに基づいて、デジタルカメラ１００の画像記憶部２０４において記憶されている画像データのリストを出力装置１０２からアダプタに要求する。出力装置１０２は取得した画像データを表示画面上に表示させ、ユーザにアップロード対象の画像データの選択を促す。そして、アダプタ１０１のネットワークインターフェース２２５は、出力装置１０２からユーザにより選択された画像データ情報を受信する（Ｓ８０１）。
【０１１３】
アダプタ１０１の制御部２２３は、画像サーバ３０３用の現像パラメータの設定値をデータ記憶部２２８から読み出して、デジタルカメラ１００に出力する（Ｓ８０２）。そして、制御部２２３は、ユーザによって指定された画像データ情報に対応する画像データをデジタルカメラ１００に要求する（Ｓ８０３）。
【０１１４】
制御部２２３は、デジタルカメラ１００から、画像サーバ用に現像された可視画像データを取得すると（Ｓ８０４）、画像サーバ３０３との接続を確立する（Ｓ８０５）。
【０１１５】
接続が確立されると、制御部２２３は、外部の画像サーバ３０３へデジタルカメラ１００から取得した可視画像データをアップロードする（Ｓ８０６）。
【０１１６】
出力装置１０２から要求された可視画像データのすべてが、アップロードされた場合、アダプタ１０１の制御部２２３は、外部の画像サーバ３０３との接続を切断する（Ｓ８０７）。
【０１１７】
制御部２２３は、要求された画像のアップロードが終了したことを、出力装置１０２に通知する（Ｓ８０８）。その後アダプタ１０１は、次のイベント待ちとなる（Ｓ８０９）。
【０１１８】
ユーザが画像を選択する必要のない場合、たとえば、撮像されたすべての画像をサーバ１０３へ保存する場合もある。この場合には、デジタルカメラ１０１がアダプタ１０１に接続されたことをトリガにする方法がある。アダプタ１０１は、画像サーバ用の現像パラメータの設定値をデジタルカメラ１００に設定し、デジタルカメラ１０１によって現像処理された可視画像データを、サーバ１０３へアップロードする。アダプタ１０１が自動的にこのような処理をおこなうことにより、ユーザは特別な操作が不要で、かつ容易にサーバ１０３へ画像データを保存することが可能となる。
【０１１９】
本実施の形態では、デジタルカメラ１００の画像記憶部２０４に設定されたＲＡＷ形式の画像データを現像処理する形態を示した。また、デジタルカメラ１００の画像記憶部２０４に、アダプタ１０１を介してＲＡＷ形式の画像データを転送することで、同一フォーマットのＲＡＷ形式の外部の画像データに関しても本実施の形態で示した処理が適用できる。すなわち、ＲＡＷ形式の画像データは、必ずしもデジタルカメラだけでなく、アダプタ１００に存在するもの、およびネットワーク上のサーバに存在するものでも本実施の形態を適用できる。
【０１２０】
本実施の形態におけるシステムによる処理によって、ＰＣを使わずに、出力装置の特性を考慮した、ユーザ好みの現像処理を行うことができる。
【０１２１】
以上、第１の実施の形態を示した。本実施の形態のシステムにより、出力装置の特性に合わせたＲＡＷ形式の画像データの現像処理が容易に実行できる。
【０１２２】
（第２の実施形態）
第２の実施形態では、撮像装置としてのデジタルカメラがアダプタを介さずにネットワークと直接接続された場合の形態を説明する。
【０１２３】
図９は、本実施の形態のシステムの構成図である。図９において、本実施の形態のシステムは、デジタルカメラ９１０、サーバ９００、出力装置１０２がネットワーク１０４を介して接続された構成である。
【０１２４】
デジタルカメラ９１０の構成は、外部インターフェース２０８に代えてネットワーク接続を可能とするネットワークインターフェース９１１に変更している。そして、制御部２０９はネットワーク上の機器との通信を行うための制御を実行可能とする。その他は、第１の実施の形態におけるデジタルカメラ１００の同じ構成であるので、その説明を省略する。
【０１２５】
サーバ９００は、制御部９０１、データ記憶部９０２、ネットワーク制御部９０３、画像記憶部９０４を有する。
【０１２６】
制御部９０１は、サーバ９００全体の制御を行う。制御部９０１は、制御プログラムを格納するためのＲＯＭ，読み出された制御プログラムを展開するためのＲＡＭ，および制御プログラムに基づいて各種制御を実行するためのＣＰＵを有している。
【０１２７】
データ記憶部９０２は、図１３，図１５に示す現像パラメータの設定値のセットおよび図１６に示すなどの各種データなどを保存する不揮発性のメモリである。ネットワーク制御部９０３は、デジタルカメラ９１０や出力装置１０２と接続して操作コマンド、画像データなどを送受信するネットワークインターフェースである。画像記憶部９０４は、デジタルカメラ９１０で撮像した画像を保存するハードディスクなどの大容量メモリである。先に説明したデータ記憶部９０２と、物理的に同じものであってもよい。出力装置１０２は、例えば、ネットワーク対応の液晶表示装置などである。
【０１２８】
次に、出力装置１０２の表示画面に、デジタルカメラ９１０の画像記憶部保存されているＲＡＷ形式の画像データが表示される処理を説明する。
【０１２９】
ＲＡＷ形式の画像データを、出力装置１０２に表示するためには、現像パラメータの設定値と、その設定値に基づく現像処理が必要である。
【０１３０】
本実施の形態において、現像処理パラメータの設定値は、サーバ９００のデータ記憶部９０２に保存されている。保存されている現像処理パラメータは、第１の実施の形態と同様に、図１１に示す種類を有し、図１２に示す設定値が出力装置の種類に対応して設定されている。
【０１３１】
はじめに、ユーザ操作に応じて入力されたコマンドに従って、出力装置１０２と、デジタルカメラ９１０とが、ネットワーク１０４を介して接続される。
【０１３２】
接続が確立されると、出力装置１０２とデジタルカメラ９１０とは、それぞれの装置の能力情報の交換を行う。
【０１３３】
次に、デジタルカメラ９１０は、サーバ９００のデータ記憶部９０２に記憶された現像パラメータを取得する。
【０１３４】
ユーザ操作に応じて入力されたコマンドに従って出力装置１０２からデジタルカメラ９１０の画像データの取得要求が、デジタルカメラ９１０に送られた場合、デジタルカメラ９１０は取得要求対象のＲＡＷ形式の画像データの現像処理を行う。現像処理によって得られた可視画像データは、ネットワークを介して出力装置１０２に転送される。
【０１３５】
図１０は、出力装置１０２およびデジタルカメラ９１０の接続要求から、デジタルカメラ９１０に、現像パラメータの設定値が設定されるまでのデジタルカメラ９１０の動作処理フローチャートである。なお、図１０では、出力装置１０２として液晶表示装置を例にして説明する。
【０１３６】
まず、デジタルカメラ９１０のネットワークインターフェース９１１は、液晶表示装置１０２からの接続要求を受信する（Ｓ１００１）。接続要求の受信に応じて、制御部２０９は、液晶表示装置１０２との接続を確立する（Ｓ１００２）。
【０１３７】
次にデジタルカメラ１０２の制御部２０９は、自身の能力情報（自身の識別子情報を含む）の送信を行うと共に、液晶表示装置１０２の能力情報（装置の種別に関する情報を含む）の取得を行うことにより、能力情報の交換を行う（Ｓ１００３）。
【０１３８】
デジタルカメラ９１０の制御部２０９は、受信した液晶表示装置１０２の能力情報を参照し、液晶表示装置１０２に対応する現像パラメータの設定値がデータ記憶部９０２に記憶されているか否かを自身の識別子情報を付加してリクエストコマンドをサーバ９００に転送する（Ｓ１００４）。
【０１３９】
対応する現像パラメータの設定値がサーバ９００のデータ記憶部９０２に記憶されていた場合、制御部２０９は、この現像パラメータの設定値取得し、画像処理部２０２，画像圧縮部２０３に設定する（Ｓ１００５）。この設定処理の後、デジタルカメラ９１０は、次のイベント待ち状態となる（Ｓ１０１５）。
【０１４０】
Ｓ１００４において、対応する現像パラメータの設定値がサーバ９００のデータ記憶部９０２に記憶されていない場合、制御部２０９は、標準の液晶表示装置の現像パラメータの設定値をサーバ９００から取得する（Ｓ１００６）。なお、サーバ９００は、液晶表示装置に限らず、主要な出力装置に対応する標準的な現像パラメータの設定値をデータ記憶部９０２に保持しているものとする。
【０１４１】
次に、デジタルカメラ９１０のネットワーク制御部９１１は、ユーザが用いている液晶表示装置１０２用の現像パラメータが設定値の取得ができず、標準の液晶表示装置用の現像パラメータの設定値を用いて処理することを液晶表示装置１０２に通知する。同時に、制御部２０９は、アクセス中の液晶表示装置１０２用の現像パラメータの設定値を取得するか否かを、液晶表示装置１０２に問い合わせる（Ｓ１００７）。Ｓ１００７において、制御部２０９は、液晶表示装置１０２側においてユーザの操作により入力されたコマンドを受信し、現像パラメータの設定値の取得を行わないコマンドであると判別した場合、次のイベント待ち状態になる（Ｓ１０１５）。
【０１４２】
一方、デジタルカメラ９１０の制御部２０９は、液晶表示装置１０２側においてユーザの操作により入力されたコマンドが現像パラメータの設定値の取得をする要求であると判別する。その場合、制御部２０９は、液晶表示装置１０２に対して現像パラメータ設定値の取得先サイト（サーバ）のＵＲＬを要求する（Ｓ１００８）。
【０１４３】
デジタルカメラ９１０の制御部２０９は、液晶表示装置１０２から現像パラメータの設定値の取得先のサイトのＵＲＬを受信する。そして、制御部２０９は、インターネットを介してこのＵＲＬに対応するネットワーク１０４の外部のサイト（サーバ）から、接続中の液晶表示装置１０２に対応する現像パラメータの設定値の取得を開始する（Ｓ１００９）。なお、本実施の形態では、サーバ９００が、現像パラメータの設定値の取得を行ってもよい。
【０１４４】
また、外部のサイト（サーバ）から現像パラメータの設定値を取得している間、画像処理部２０２、画像圧縮部２０３に対して、標準の液晶出力装置に対応する現像パラメータの設定値を仮として設定してもよい。
【０１４５】
デジタルカメラ９１０の制御部２０９は、一定の時間が経過すると、現像パラメータの設定値の取得が完了したか否か判断する（Ｓ１０１１）。デジタルカメラ９１０の制御部２０９は、タイムアウトにより、現像パラメータの設定値のダウンロードできなかった場合、現像パラメータの設定値が取得できなかったことを、液晶表示装置１０２に通知する（Ｓ１０１０）。デジタルカメラ９１０は、その後、次のイベント待ち状態となる（Ｓ１０１５）。
【０１４６】
Ｓ１０１１において、現像パラメータの設定値が取得できた場合、デジタルカメラ９１０の制御部２０９は、取得した現像パラメータの設定値を画像処理部２０２および画像圧縮部２０３に設定する（Ｓ１０１２）。同時に、制御部２０９は、取得した現像パラメータの設定値をサーバ９００に送信する（Ｓ１０１３）。さらに、制御部２０９は、現像パラメータの設定値を取得したことを液晶表示装置１０２に通知する（Ｓ１０１４）。液晶表示装置は、この通知に基づいて図６に示す処理と同様の表示処理を実行する。その後、デジタルカメラ９１０は、次の新たなイベント待ち状態となる（Ｓ１０１５）。
【０１４７】
なお、第２の実施形態の液晶表示装置１０２の動作処理は、通信相手がデジタルカメラ９１０に変更しただけであって、基本的に図４の処理と同様であるので、その説明を省略する。また、ＲＡＷ形式の画像データから変換された可視画像データを液晶表示装置１０２の表示画面に表示する際の液晶表示装置１０２の動作処理に関しても通信相手がデジタルカメラ９１０に変更しただけであって、基本的に図７の処理と同様であるので、その説明は省略する。
【０１４８】
以上説明したように、デジタルカメラ９１０が直接ネットワークに接続されるシステムの形態であっても第１の実施の形態と同様の効果を得ることができる。
【０１４９】
また、各実施形態では、現像処理をデジタルカメラで行っていたが、現像処理に加えて、ＩＣＣプロファイルを用いたカラーマネージメント処理に関しても、同様の処理によって実現することも考えられる。すなわち、第１の実施の形態１では、ＩＣＣプロファイルをアダプタに保存し、第２の実施の形態では、ＩＣＣプロファイルをサーバ９００に保存する。そして、カラーマネージメント処理を行う際に、ＩＣＣプロファイル情報をこれらから取得することになる。
【図面の簡単な説明】
【０１５０】
【図１】第１の実施の形態のシステム構成図
【図２】第１の実施の形態におけるデジタルカメラおよびアダプタのブロック図
【図３】第１の実施の形態のシステム構成図
【図４】液晶表示装置１０２の動作処理フローチャート
【図５】アダプタ１０１の動作処理フローチャート
【図６】液晶表示装置の動作処理フローチャート
【図７】液晶表示装置の動作処理フローチャート
【図８】アダプタ１０１の動作処理フローチャート
【図９】第２の実施の形態のシステム構成図
【図１０】デジタルカメラ９１０の動作処理フローチャート
【図１１】出力装置のブロック図
【図１２】現像パラメータの定義の一例
【図１３】現像パラメータの設定値のセットの一例
【図１４】現像パラメータの定義の一例
【図１５】現像パラメータの定義の一例
【図１６】デジタルカメラの識別子と現像パラメータ設定値のセットとの関係を示すテーブル
【図１７】デジタルカメラの識別子と現像パラメータの設定値の記憶先との関係を示すテーブル
【符号の説明】
【０１５１】
１００  デジタルカメラ
１０１  アダプタ
１０２  出力装置
１０３  サーバ
２０２  画像処理部
２０３  画像圧縮部
２０４  画像記憶部
２２３  制御部
２２８  データ記憶部
【図１】
0004847161.tif 000002
【図２】
0004847161.tif 000003
【図３】
0004847161.tif 000004
【図４】
0004847161.tif 000005
【図５】
0004847161.tif 000006
【図６】
0004847161.tif 000007
【図７】
0004847161.tif 000008
【図８】
0004847161.tif 000009
【図９】
0004847161.tif 000010
【図１０】
0004847161.tif 000011
【図１１】
0004847161.tif 000012
【図１２】
0004847161.tif 000013
【図１３】
0004847161.tif 000014
【図１４】
0004847161.tif 000015
【図１５】
0004847161.tif 000016
【図１６】
0004847161.tif 000017
【図１７】
0004847161.tif 000018